(57)【要約】【課題】戸体と通行体が戸体移動方向と斜めに衝突した場合でも正確に検出できると共に、冷凍倉庫の出入口に用いた場合でも正確に検出できる引き戸の戸体衝突検出装置とする。【解決手段】戸体４に取付けた装置下地材１０に、金属プレート１１と金属ワイヤー１２を取付け、この金属プレート１１と金属ワイヤー１２が接触することで信号を出力するようにし、前記金属プレート１１は装置下地材１０に対して振れ動き自在で、表面に付着した氷を剥離できるようにし、前記金属ワイヤー１２は金属プレート１１の幅方向中央部に位置するようにし、その金属ワイヤー１２が斜めに移動しても金属プレート１１に接触するようにする。【選択図】図２
2010095872.tif 000002
【特許請求の範囲】
【請求項１】
戸体４に取付ける装置下地材１０と、この装置下地材１０に取付けた金属プレート１１、金属ワイヤー１２を備え、
前記金属プレート１１は、前記装置下地材１０が振動すると振れ動くように装置下地材１０に取付け、
前記金属ワイヤー１２は、金属プレート１１の表面１１ｂと離隔し、かつ金属プレート１１の幅方向ほぼ中央部に位置して装置下地材１０に取付け、
前記金属ワイヤー１２が金属プレート１１に接触することで戸体と通行体の衝突を検出するようにしたことを特徴とする引き戸の戸体衝突検出装置。
【請求項２】
前記装置下地材１０の長手方向中間部に弾性支持部材１７を取付け、この弾性支持部材１７により金属プレート１１の長手方向中間部を、前記装置下地材１０側に変位しないように支持した請求項１記載の引き戸の戸体衝突検出装置。
【請求項３】
前記金属ワイヤー１２の長手方向両端部を、緊張ばね２０で装置下地材１０に連結して金属ワイヤー１２に張力を付与した請求項１又は２記載の引き戸の戸体衝突検出装置。
【発明の詳細な説明】
【技術分野】
【０００１】
本発明は、一対の戸体を開閉自在として出入口を開閉する両引き戸、１つの戸体を開閉自在として出入口を開閉する片引き戸などの引き戸において、閉じ移動する戸体と人体や運搬車等の出入口を通行する通行体が衝突したことを検出する引き戸の戸体衝突検出装置に関する。
【背景技術】
【０００２】
引き戸においては閉じ移動する戸体と人体や運搬車等の出入口を通行する通行体が衝突した状態で、さらに戸体が閉じ移動すると通行体が戸体ではさまれて損傷することがあるので、戸体と通行体の衝突を検出する装置を設け、その検出信号で戸体を開き移動するようにして通行体の損傷を防止している。
前述の戸体の衝突検出装置としては、特許文献１に開示されたように、戸体（シャッター）の戸当り部分に感知片と作動片とスイッチを取付け、戸体と通行体が衝突すると感知片が移動し、作動片でスイッチをＯＮするようにしたものが知られている。
【０００３】
【特許文献１】特開平８−１０５２８０号公報
【発明の開示】
【発明が解決しようとする課題】
【０００４】
前述した従来の戸体の衝突検出装置は、感知片が戸体移動方向に動くので、戸体と通行体が戸体移動方向に衝突した場合には正しく検出作動するが、戸体移動方向と斜めに衝突した場合には感知片が損傷したり、作動片に接触せずにスイッチがＯＮしないことがあるので、衝突を正しく検出できないことがある。
例えば、運搬車が出入口に真直ぐに進入せずに斜めに進入した場合には、閉じ移動する戸体に運搬車が、戸体移動方向と斜めに衝突することがある。
【０００５】
前述した引き戸を冷凍倉庫の出入口に用いる場合には、戸体がマイナス４０°程度となることがあるので、前述のスイッチが凍結し、作動片が接触してもスイッチがＯＮしないことがある。
【０００６】
本発明の目的は、戸体と通行体が戸体移動方向と斜めに衝突した場合でも正しく検出できると共に、冷凍倉庫の出入口に用いても正しく検出できるようにした引き戸の衝突検出装置とすることである。
【課題を解決するための手段】
【０００７】
本発明は、戸体４に取付ける装置下地材１０と、この装置下地材１０に取付けた金属プレート１１、金属ワイヤー１２を備え、
前記金属プレート１１は、前記装置下地材１０が振動すると振れ動くように装置下地材１０に取付け、
前記金属ワイヤー１２は、金属プレート１１の表面１１ｂと離隔し、かつ金属プレート１１の幅方向ほぼ中央部に位置して装置下地材１０に取付け、
前記金属ワイヤー１２が金属プレート１１に接触することで戸体と通行体の衝突を検出するようにしたことを特徴とする引き戸の戸体衝突検出装置である。
【０００８】
本発明においては、前記装置下地材１０の長手方向中間部に弾性支持部材１７を取付け、この弾性支持部材１７により金属プレート１１の長手方向中間部を、前記装置下地材１０側に変位しないように支持することができる。
【０００９】
このようにすれば、金属プレート１１が長い場合でも、その金属プレート１１を真直ぐな状態に保持できる。
【００１０】
本発明においては、前記金属ワイヤー１２の長手方向両端部を、緊張ばね２０で装置下地材１０に連結して金属ワイヤー１２に張力を付与することができる。
【００１１】
このようにすれば、金属ワイヤー１２が通常時に自重などで弛み、金属プレート１１に接触して誤検出することを防止できる。
【発明の効果】
【００１２】
本発明によれば、金属ワイヤー１２が戸体移動方向と斜めに移動しても金属プレート１１に接触するし、その金属ワイヤー１２が損傷することもない。
したがって、戸体４と通行人や運搬車などの通行体が戸体移動方向と斜めに衝突した場合でも金属ワイヤー１２と金属プレート１１が接触するので、正しく検出できる。
また、金属プレート１１は戸体４の開閉移動時、閉じエンド位置、開きエンド位置となったときなどに振れ動くので、その金属プレート１１に付着した氷は剥離する。
したがって、冷凍倉庫の出入口に用いても戸体と通行体の衝突を正しく検出できる。
【発明を実施するための最良の形態】
【００１３】
図１に示すように、駆動プーリ１と従動プーリ２にベルト３を巻き掛け、このベルト３に一対の戸体４を連結し、前記駆動プーリ１をモータ５で正回転、逆回転してベルト３を矢印ａ方向に移動すると一対の戸体４が閉じ移動し、矢印ｂ方向に移動すると一対の戸体４が開き移動するようにして図示しない出入口を開閉する両引き戸としてある。
なお、倉庫の出入口などに用いる大型の両引き戸の場合には、カウンターウエイトを用いて戸体４を小さな力で開き移動できるようにしてある。
また、戸体４を開閉移動する手段は、前述のベルト３を用いたものに限ることはなく、任意な手段で開閉移動することができる。
また、１つの戸体４を開閉移動する片引き戸でも良い。
【００１４】
前記戸体４の戸当り部分４ａには戸体衝突検出装置６が取付けてある。
前述の戸当り部分４ａとは戸体４が閉じたときに枠や他方の戸体に接し、戸体４が開いたときには枠や他方の戸体と離れる部分で、この実施の形態の両引き戸の場合には召合せ部と呼ばれる。
【００１５】
前記戸体衝突検出装置６は図２に示すように、一方の戸体４の戸当り部分４ａにおける面外方向（移動方向と直角方向）の一側寄りに取付けられて、他方の戸体４の戸当り部分４ａにおける面外方向の一側寄りの端面４ｂと対向している。
他方の戸体４の戸当り部分４ａにおける面外方向の他側寄りに取付けた戸体検出装置６は、一方の戸体４の戸当り部分４ａにおける面外方向の他側寄りの端面４ｃと対向している。
【００１６】
前記戸体衝突検出装置６は、装置下地材１０と金属プレート１１と金属ワイヤー１２と表面カバー１３を備えている。
前記装置下地材１０が戸体４に取付けられる。
この装置下地材１０に前記金属プレート１１が、装置下地材１０が振動すると金属プレート１１が振れ動くように取付けてある。例えば、装置下地材１０の表面１０ａに板ばね１４を取付け、この板ばね１４に金属プレート１１の裏面１１ａを固着して金属プレート１１の裏面１１ａと装置下地材１０の表面１０ａとが平行で、かつ離隔して取付けてある。
前記金属ワイヤー１２は装置下地材１０に、前記金属プレート１１の表面１１ｂと離隔し、かつ金属プレート１１の表面１１ｂに沿って張設して、この金属ワイヤー１２と通行体が接するようにしてある。
例えば、金属ワイヤー１２の長手方向両端部を装置下地材１０に固着し、その金属ワイヤー１２が金属プレート１１の表面１１ｂと離隔し、かつ金属プレート１１の幅方向のほぼ中央に位置するようにしてある。
前記装置本体１０に表面カバー１３を取付け、この表面カバー１３で前記金属プレート１１と金属ワイヤー１２を覆っている。
【００１７】
前記金属プレート１１と金属ワイヤー１２が電源（図示せず）に直列に接続され、この金属プレート１１と金属ワイヤー１２が接触すると電気信号を出力するスイッチとしてある。
前記電気信号は、前記モータ５の駆動制御回路に入力され、この電気信号が入力されるとモータ５を逆回転してベルト３を矢印ｂ方向に回転し、戸体４を開き移動するようにしてある。
【００１８】
このようであるから、戸体４と通行体が戸体移動方向に斜め（図２で矢印ｃ方向）に衝突すると、金属ワイヤー１２が戸体移動方向と斜めに金属プレート１１に向けて変位し、図２に仮想線で示すように金属ワイヤー１２が金属プレート１１（表面１１ｂ）に接触するので、衝突を正しく検出できる。
【００１９】
また、戸体４が開閉移動するときや、戸体４が閉じエンド、開きエンドとなったときなどには、その戸体４が振動する。
この戸体４の振動によって装置下地材１０が振動するので、金属プレート１１、金属ワイヤー１２は振れ動く。
したがって、冷凍倉庫の出入口に用いた場合に、金属プレート１１、金属ワイヤー１２に付着した氷は、金属プレート１１、金属ワイヤー１２の振れ動きによって剥がれ落ちるので、金属ワイヤー１２が金属プレート１１に接触することで電気的に接続し、電気信号を出力する。
よって、冷凍倉庫の出入口に用いた場合でも衝突を正しく検出できる。
【００２０】
前記戸体４は、難燃処理木材の芯材２０の表面に繊維入りけい酸カルシウム板２１を取付けた耐火性能を有する戸体で、その面外方向中央部に加熱膨張シート２２が取付けてあり、火災時に加熱膨張シート２２が膨張して一対の戸体４の面外方向中央部間に隙間を埋めて火炎が通ることを防止する。
また、戸体衝突検出装置６は、加熱膨張シート２２を介して戸体４に取付けてある。
また、前記表面カバー１３は、ゴムなどより成る防護内装シート１５と不燃シート１６の２層としてある。
【００２１】
このようであるから、耐火の両引き戸となるし、戸体衝突検出装置６も耐火性能を有する。
なお、前述した戸体４に限らずに通常の耐火性能が劣る戸体４を備えた戸であっても良い。
【００２２】
次に、戸体衝突検出装置６の詳細を図３〜図５に基づいて説明する。
前記装置下地材１０は矩形断面の長尺材で、難燃処理木材（ベイマツ）を用いている。
前記金属プレート１１は、装置下地材１０の表面１０ａに向かう凹部１１ｃを、長手方向全長に亘って有した長尺材である。例えば、アルミ板を断面コ字状に曲げ加工した長尺材である。
前記金属プレート１１の長手方向両端部が、装置下地材１０の表面１０ａにおける長手方向両端寄りに板ばね１４でそれぞれ取付けてあり、この金属プレート１１は装置下地材１０に対して振れ動くことができる。
【００２３】
前記装置下地材１０には、前記金属プレート１１の長手方向中間部を支持する弾性支持部材１７が取付けてあり、この弾性支持部材１７によって金属プレート１１の長手方向中間部を支持して、通常時に金属プレート１１の長手方向中間部が自重などで装置下地材１０側に変位しないようにしている。
また、金属ワイヤ１２によって金属プレート１１が押された場合には、弾性支持部材１７が弾性圧縮変形して金属プレート１１が装置下地材１０側に移動できるようにしてある。
前記弾性支持部材１７は、例えば、ばね用鋼線（ステンレス鋼線が好ましい）を、ほぼコの字形状に折曲したもので、その中間部１７ａが装置下地材１０の表面１０ａに取付けられ、両端部１７ｂが金属プレート１１の裏面１１ａと対向している。
このようにすることで、金属プレート１１が長い場合でも、その金属プレート１１を真直ぐな状態に保持できる。
【００２４】
前記装置下地材１０の長手方向両端寄りには金属プレート押え部材１８がそれぞれ取付けてあり、この金属プレート押え部材１８によって金属プレート１１の長手方向両端部が幅方向に振れ動かないようにしてある。
前記金属プレート押え部材１８は一側片１８ａと他側片１８ｂと連結片１８ｃでコ字形状で、その一側片１８ａ、他側片１８ｂを装置下地材１０の両側面１０ｂに固着して取付け、その一側片１８ａ、他側片１８ｂ間に金属プレート１１が挿通している。
【００２５】
前記金属ワイヤー１２は航空機用ワイヤロープを用いている。
前記金属ワイヤー１２の長手方向両端部は、緊張ばね２０を介して装置下地材１０の長手方向両端寄りに連結され、その緊張ばね２０によって金属ワイヤー１２に張力を付与し、金属ワイヤー１２を緊張した状態としてある。
これによって、通常時に金属ワイヤー１２が自重などで弛み、金属プレート１１に接して誤検出することを防止できる。
【００２６】
前記緊張ばね２０は、ゴム製の受け体２１に設けた支持材２２の孔２２ａに挿通し、その一端部２０ａが固着具２３で装置下地材１０の表面１０ａに固着して取付けてあり、他端部２０ｂに金属ワイヤー１２が連結してある。
これにより、緊張ばね２０は金属プレート１１の幅方向、厚さ方向に動くことが規制されると共に、伸縮方向には自由に動くことができるので、金属ワイヤー１２に張力を付与できる。
【００２７】
前記金属プレート１１に第１のコード３０が電気的に導通して取付けてあり、第２のコード３１が前記緊張ばね２０の一端部２０ａに固着具２３で連結してある。
そして、第１のコード３０、第２のコード３１を図示しない電源に直列に接続してスイッチとしてある。
図３においては、上端表面カバー３２と下端表面カバー３３を備えている。
【図面の簡単な説明】
【００２８】
【図１】両引き戸の概略説明図である。
【図２】図１のＡ−Ａ断面詳細図である。
【図３】戸体衝突検出装置の表面カバーを外した状態の側面図である。
【図４】図３のＢ−Ｂ拡大断面図である。
【図５】図３のＣ−Ｃ拡大断面図である。
【符号の説明】
【００２９】
４…戸体、６…戸体衝突検出装置、１０…装置下地材、１１…金属プレート、１２…金属ワイヤー、１３…表面カバー、１４…板ばね、１７…弾性支持部材、１８…金属プレート押え部材、２０…緊張ばね、３０…第１のコード、３１…第２のコード。
【図１】
2010095872.tif 000003
【図２】
2010095872.tif 000004
【図３】
2010095872.tif 000005
【図４】
2010095872.tif 000006
【図５】
2010095872.tif 000007